(57)【特許請求の範囲】
【請求項１】
表示画面にタッチセンサを備え、該画面上でのタッチ操作により画面表示の操作が可能な情報表示装置において、縦の大きさを前記表示画面の表示領域の下辺から任意のタッチ位置までの高さとし、横の大きさを前記表示画面の縦横比と同じにした、前記表示画面に表示される画像の縮小画像を表示する小画面領域を設定し、前記小画面領域におけるタッチ操作位置を前記表示画面上の位置に変換し、前記小画面領域におけるドラッグ操作が該小画面領域のいずれかの辺を越えた場合、前記表示画面上では当該辺に対応する辺を越さない位置に変換することにより、前記小画面領域におけるタッチ操作を前記表示画面における画面表示の操作に置き換えて、リモート操作可能としたことを特徴とする情報表示装置。
【請求項２】
請求項１に記載の情報表示装置において、前記小画面領域の大きさ、位置は予め設定可能であること特徴とする情報表示装置。
【請求項３】
請求項１に記載の情報表示装置において、前記小画面領域は、前記表示画面のタッチ位置から近い方の左右いずれかの隅に設定されることを特徴とする情報表示装置。
【請求項４】
請求項１に記載の情報表示装置において、前記小画面領域は、情報表示装置を操作する入力部の近傍に設定されることを特徴とする情報表示装置。
【請求項５】
請求項１に記載の情報表示装置において、前記小画面領域を移動可能としたことを特徴とする情報表示装置。
【請求項６】
請求項１に記載の情報表示装置において、前記小画面領域の大きさを変更可能としたことを特徴とする情報表示装置。
【請求項７】
請求項１乃至６のいずれかに記載の情報表示装置において、前記表示画面上に設定された前記小画面領域の設定は任意に解除可能であることを特徴とする情報表示装置。
【発明の詳細な説明】
【技術分野】
【０００１】
本発明は、情報表示装置に関し、特に、大型表示画面を利用して情報表示する技術に関するものである。
【背景技術】
【０００２】
従来、ホワイトボードには、マジックなどの筆記手段によりホワイトボード上に書き込まれた議事内容（イメージ情報）を光学的に走査して、得られたイメージ情報を感熱紙に印刷する印刷手段が備えられており、前記印刷手段を用いて、会議終了後にホワイトボード上に書き込まれた議事内容（イメージ情報）を感熱紙に印刷し、さらに会議参加者への配布のためにそのコピーを配布したりしている。
【０００３】
また、従来のホワイトボードを利用した会議においては、印刷された議事内容を、会議終了後、新たにワードプロセッサなどを用いて電子化する作業が必要な場合がある。
特許文献１には、直接入力手段（例えば、タッチペン）を用いて大型ディスプレイ上に議事内容を自由な書式で直接的に書き込み、これらの議事内容を全て電子化することにより、会議終了後の文書管理、参加者への配布、そして内容の加工などが簡単に実行する電子会議システムが提案されている。
【特許文献１】特開２０００−５６７４７号公報
【発明の開示】
【発明が解決しようとする課題】
【０００４】
上記のような電子会議システムでは、ある程度の広さのある会議室での使用が想定されており、高さは人の手の届く範囲で、幅も人の移動距離が障害にならないものである。
【０００５】
しかし、液晶ディスプレイ等の表示装置の大型化が進んでおり、大学の講義室や国際会議場のような広い場所に大型化された表示装置が設置された場合、上部に手が届かないとか、端まで行って書いたり、操作するのには労力を要するということが発生してきている。
【０００６】
本発明は、上述のような実情を考慮してなされたものであって、大型表示画面を有する情報表示装置において、ユーザの操作位置から離れた位置に表示されている対象を操作できるようにした情報表示装置を提供することを目的とする。
【課題を解決するための手段】
【０００７】
上記課題を解決するために、本発明の情報表示装置は、表示画面にタッチセンサを備え、該画面上でのタッチ操作により画面表示の操作が可能な情報表示装置であって、縦の大きさを前記表示画面の表示領域の下辺から任意のタッチ位置までの高さとし、横の大きさを前記表示画面の縦横比と同じにした、前記表示画面に表示される画像の縮小画像を表示する小画面領域を設定し、前記小画面領域におけるタッチ操作位置を前記表示画面上の位置に変換し、前記小画面領域におけるドラッグ操作が該小画面領域のいずれかの辺を越えた場合、前記表示画面上では当該辺に対応する辺を越さない位置に変換することにより、前記小画面領域におけるタッチ操作を前記表示画面における画面表示の操作に置き換えて、リモート操作可能としたものである。
【０００９】
また、前記小画面領域の大きさ、位置は予め設定可能としてもよいし、前記小画面領域の大きさや位置を設定以後も再設定できるようにしてもよい。
前記小画面領域の位置は、前記表示画面のタッチ位置から近い方の左右いずれかの隅、あるいは、情報表示装置を操作する入力部の近傍に設定されるものとしてもよい。
【００１０】
さらに、前記小画面領域を移動可能としたり、前記小画面領域の大きさを変更可能としたり、前記小画面領域の設定を任意に解除可能としてもよい。
【発明の効果】
【００１１】
本発明によれば、大型表示画面を有する情報表示装置において、ユーザの操作位置から離れた位置に表示されている対象を容易に操作することができる。
さらに、インタラクティブ・ホワイトボード機能を有する大型表示画面の情報表示装置に適用すると特に効果が発揮される。
【発明を実施するための最良の形態】
【００１２】
以下、図面を参照して本発明に係る実施形態について説明する。
【００１３】
＜実施形態１＞
本実施形態１では、インタラクティブ・ホワイトボード機能を有する大型表示画面の情報表示装置を例にして説明する。ここで、インタラクティブ・ホワイトボード機能とは、コンピュータのデスクトップを表示する２次元表面型のデバイスであり、ユーザがその表面上に行った文字や図の書き込みや表示された対象（例えば、表示されたウィンドウ、文字、図や画像等）の編集操作をコンピュータに入力する機能を備えており、電子黒板としての利用も可能であるが、より汎用的な対話型コンピュータスクリーンとして使用可能なものである。このインタラクティブ・ホワイトボード機能による利用場面としては、学校、ビジネスでのプレゼンテーション、共同作業などが考えられる。
【００１４】
本実施形態１の大型表示画面は、縦長の表示画面を用いて説明するが、縦長のものであっても、横長のものであっても構わない。
図１に示すように、表示画面の全体領域は、大画面領域と、小画面領域と、システム領域とから構成され、それぞれの画面領域の左下隅を原点、右水平方向をＸ軸の正方向、垂直上方向をＹ軸の正方向とみなしたＸＹ座標系で表されるものとする。
ここで、小画面領域は、大画面領域の左下隅に表示されるものとし、大画面と小画面のサイズは、大画面は、横のサイズＬｘ、縦のサイズＬｙであり、小画面は、横のサイズｌｘ、縦のサイズｌｙであるものとする。このサイズの単位は、画素単位であっても、ｍ単位であっても構わない。
【００１５】
この小画面は、大画面を縮小した画面であり、小画面で行った操作や表示はすべて大画面へ、また逆に、大画面で行った操作や表示はすべて小画面へ反映されるようになっている。したがって、大画面上の位置Ｐ１と小画面の位置Ｐ２が対応しているとすると、小画面上の位置Ｐ２における対象（ウィインドウ、文字、図形や画像等）への操作や表示、書き込みは、大画面上の位置Ｐ１における対象への操作や表示、書き込みと同じである。
【００１６】
尚、システム領域は、制御プログラムやアプリケーションプログラム等が使う表示モード選択部等の操作メニューや電源ＯＮ・ＯＦＦ等の操作指示に使われる領域であり、右下隅に表示されるものとする。しかし、システム領域を設けずに、情報表示装置の画面外にボタン等を設けて操作するようにしても構わない。また、システム領域自体も大画面中に表示させるようにしても構わない。
【００１７】
次に、本実施形態１の大型表示画面の操作概要について説明する。
例えば、図２（Ａ）のように、大画面の上方にウィンドウ１が表示されており、そのウィンドウ１の特定の箇所を指示したいが、ユーザの持つ指示手段（例えば、電子ペン、指や棒等）ではその特定の箇所に届かない場合について考える。
ユーザは、指示手段の届く位置にある小画面上に表示されたウィンドウ２に対して特定の箇所を指示することによって、大画面のウィンドウ１をリモートに指示する。
例えば、ウィンドウ１を大画面の下方へ移動させたいときには、小画面に表示されたウィンドウ２のタイトルバーを指示手段によってドラッグすると、図２（Ｂ）のように、ウィンドウ１が大画面の下方に移動されて表示される。
【００１８】
次に、情報表示装置のハードウェア構成について説明する。
図３は、情報表示装置のハードウェア構成を表すブロック図であり、同図において、情報表示装置１０は、画像表示部１１、タッチセンサ１２、主制御部１３、記憶部１４とからなっている。この情報表示装置１０では、画像表示部１１とタッチセンサ１２とからなる表示装置と、主制御部１３、記憶部１４とからなる情報処理装置とを一体型の装置で構成するものとして説明するが、これらの装置を別々の装置で構成しても構わない。
【００１９】
記憶部１４は、例えば、ＲＡＭ（Random Access Memory）やＲＯＭ（Read Only Memory）、ＨＤＤ（Hard Disk Drive）などで構成され、主制御部１３で実行される制御プログラム、各種アプリケーションプログラム、これらのプログラムによって使用されるデータを格納したり、これらのプログラムの実行途中で一時的に発生するデータを格納するバッファとしても使用する。
【００２０】
画像表示部１１は、大型表示画面を有する液晶ディスプレイ等で構成され、制御プログラムや各種アプリケーションプログラムによって実行された結果の画像データを大型表示画面に表示する。
【００２１】
入力部２０は、情報表示装置の表面が感圧式であったり、赤外線を使った位置検知システムなどを使用している場合、表面画面の位置（座標）を指示可能な指示手段（ポインティングデバイス）である。この指示手段は、例えば、人間の指、鉛筆、電子ペンや棒等が考えられる。
【００２２】
タッチセンサ１２は、例えば、赤外線センサや感圧あるいは静電容量の変化により、入力部２０の接触位置と接触状況とからなる位置情報を主制御部１３へ送信する。
ここで、接触状況とは、「接触状態」または「非接触状態」のことを言う。「接触状態」は、入力部２０が表示画面へ接触したままの状態のことであり、「非接触状態」は、１度接触したクリック、２度接触したダブルクリック、あるいは、接触状態から入力部２０を離した状態のことを言う。
接触位置とは、入力部２０が表示画面に接触したときの座標か、あるいは、非接触となったときの座標のことを言い、表示画面の座標系で表される。
また、タッチセンサ１２は、入力部２０が接触したままとなった場合には、所定の間隔で接触状況を監視し、接触位置と接触状況とからなる位置情報を逐次主制御部１３へ送信する。
【００２３】
主制御部１３は、例えば、ＣＰＵ（中央処理ユニット）等で構成され、記憶部１４に記憶された制御プログラムや各種アプリケーションプログラムを実行することによって、当該装置１０の全体を制御する。
この制御プログラムは、当該装置の全体を制御するプログラムであり、該制御プログラムあるいはアプリケーションプログラムで指示された描画命令や描画結果を大画面および小画面へ出力する画像出力部も含まれている。
【００２４】
次に、本実施形態１に係る情報表示装置の機能構成について、図４のブロック図に基づいて説明する。同図において、情報表示装置の機能は、制御部３１、小画面設定部３２、位置情報変換部３３、画像出力部３４を含んで構成されている。また、これらを動作させるために、画面管理テーブル３５を必要とする。
【００２５】
制御部３１は、制御プログラムの一部として構成され、ここでは、小画面設定部３２、位置情報変換部３３、画像出力部３４を制御するとともに、アプリケーションプログラムの実行管理を行うものである。
【００２６】
まず、画像出力部３４で大画面と小画面を管理するための画面管理テーブル３５について説明する。この画面管理テーブル３５は、記憶部１４に記録されており、図５に例示したようなデータ項目がある。
【００２７】
画面区分：大画面または小画面のいずれかを示す区分データを記憶する。
表示位置：画面区分で表される画面の左下方隅の位置を表す座標を記憶する。大画面は、表示画面の原点に固定されるが、小画面は既定値またはユーザによる設定により、可変である。
画面の大きさ：画面区分で表される画面の大きさを幅と高さで記憶する。ここでは、大画面は幅Ｌｘ、高さＬｙとし、小画面は、幅ｌｘ、高さｌｙとする。
【００２８】
さて、画像出力部３４は、制御プログラムやアプリケーションプログラムから指令された描画命令を実行することによって、大画面用の画像データを生成して、記憶部１４に確保されているメインバッファメモリへ出力する。
次に、メインバッファメモリに記憶されている画像データを、小画面の大きさ（幅と高さ）に一致するように縮小して、小画面用の画像データとして、記憶部１４に確保されているサブバッファメモリへ生成する。
そして、サブバッファメモリに生成された小画面の画像データが大画面上の小画面の表示位置に表示されるように、メインバッファメモリに記憶されている大画面の画像データに上書き合成して、記憶部１４に確保されている画像メモリへ書き出す。
【００２９】
このようにして、画像出力部３４は、画像メモリが書き換わると、書き換わった画像メモリの内容を画像表示部１１へ送って、大型表示画面に大画面および小画面を表示させる。
【００３０】
小画面設定部３２は、画面管理テーブル３５の小画面の大きさを次のようにして設定する。
ユーザは、システム領域に設定されている表示モード選択の「小画面領域設定」ボタンをクリックする。
制御部３１は、タッチセンサ１２から受け取った位置情報（接触状況、接触位置）から、ユーザが「小画面領域設定」ボタンをクリックしたと判断すると、小画面設定部３２を起動する。
【００３１】
小画面設定部３２は、起動されると、タッチセンサ１２から、ユーザが入力部２０によって表示画面（大画面）をクリックした位置情報が送られて来るまで待つ。
ユーザは、ユーザの届く範囲で入力部２０により表示画面（大画面）をクリックする。例えば、図６（Ａ）のように、大きさが（Ｌｘ×Ｌｙ）の大画面に対して、高さｌｙの位置Ｑをクリックする。
【００３２】
小画面設定部３２は、タッチセンサ１２から送られた接触位置が大画面であり、接触状況がクリックであると判断すると、大画面の下辺からクリックした接触位置までの高さを小画面の高さとして決定し、この高さを大画面の大きさの縦横比の比率に合わせて小画面の幅を算出する。これにより、小画面領域は、原点（１，１）と点（ｌｘ，ｌｙ）を対角とする領域となり（図６（Ｂ））、画面管理テーブル３５の小画面の「大きさ」に高さと幅を設定する。例えば、図６（Ａ）の場合には、Ｌｘ＝１０８０、Ｌｙ＝１９２０、ｌｙ＝８００とすると、幅ｌｘは次のように算出される。
ｌｘ＝（Ｌｘ／Ｌｙ）×ｌｙ＝（１０８０／１９２０）×８００＝４５０
小画面設定部３２は、画面管理テーブル３５を参照して、小画面に大画面の縮小された画像を表示して実行を終了する（図６（Ｃ））。
【００３３】
次に、制御部３１は、タッチセンサ１２から受け取った位置情報が、システム領域以外の時には、位置情報変換部３３を起動する。
位置情報変換部３３は、タッチセンサ１２から送られてきた位置情報を受け取り、後述する方法で、接触位置の座標を大画面の座標系に変換し、変換した座標と接触状況とを制御部３１に送る。
【００３４】
制御部３１は、位置情報変換部３３から送られてきた入力部２０の接触状況および変換された大画面上の接触位置の座標を、動作中のアプリケーションプログラムへ送る。このアプリケーションプログラムとしては、例えば、電子黒板システムがある。
【００３５】
これにより、アプリケーションプログラムでは、大画面を入力部２０によってポインティングした場合でも、また、小画面をポインティングした場合でも、常に大画面上の座標として与えられるため、ユーザがいずれの画面でポインティング操作を行っても同じ結果が得られることになる。
【００３６】
次に、タッチセンサ１２で取得した接触位置を大画面の座標系に変換する処理を図７のフローチャートを用いて説明する。
以下、小画面の原点を大画面の原点と同じとし、接触位置の座標を（ｘ，ｙ）、幅をｌｘ、高さをｌｙとし、また、大画面の幅をＬｘ、高さをＬｙとし、変換された大画面上の接触位置の座標を（Ｘ，Ｙ）として説明する。
【００３７】
画面管理テーブル３５の小画面の「表示位置」と「表示の大きさ」とで表される小画面領域内に接触位置（ｘ，ｙ）があるかを調べる（ステップＳ１）。
【００３８】
小画面領域内に接触位置（ｘ，ｙ）があれば（ステップＳ１／ＹＥＳ）、次の式により接触位置（ｘ，ｙ）を大画面上の座標（Ｘ，Ｙ）に変換し、変換した座標（Ｘ，Ｙ）を出力して処理を終了する（ステップＳ２）。
【００３９】
Ｘ＝（Ｌｘ／ｌｘ）×ｘ
Ｙ＝（Ｌｙ／ｌｙ）×ｙ
【００４０】
一方、大画面領域内に接触位置（ｘ，ｙ）があれば（ステップＳ１／ＮＯ）、接触位置（ｘ，ｙ）をそのまま大画面上の座標（Ｘ，Ｙ）として、出力して処理を終了する（ステップＳ３）。
【００４１】
しかし、入力部２０の接触位置が小画面領域内にあったときに、入力部２０を接触したまま小画面領域の外に動かした場合、上記の計算では大画面の領域外へ出てしまい、小画面領域での操作と大画面の操作とが一致しなくなる。
このために、上記ステップＳ２の変換を次のように行って、小画面領域から外へ出るような変換を防ぐ。
【００４２】
（１）ｘ＜１の場合：
Ｘ＝１、  Ｙ＝（Ｌｙ／ｌｙ）×ｙ
（２）ｘ＞ｌｘの場合：
Ｘ＝Ｌｘ、  Ｙ＝（Ｌｙ／ｌｙ）×ｙ
（３）ｙ＜１の場合：
Ｘ＝（Ｌｘ／ｌｘ）×ｘ、  Ｙ＝１
（４）ｙ＞ｌｙの場合：
Ｘ＝（Ｌｘ／ｌｘ）×ｘ、  Ｙ＝Ｌｙ
【００４３】
＜実施形態１の変形例＞
上述の実施形態１では、小画面領域の設定位置は、予め設定された既定値（大画面の左下隅）にしていたが、これに限定されるものではなく、既定値をユーザが設定しても、大画面の中央下、右下隅（システム領域の近傍）としても良いし（図８（Ａ））、また、ユーザのタッチした位置、あるいは、タッチした位置に近い右下隅、中央下、左下隅としてもよい（図８（Ｂ））。
また、小画面領域の大きさについても、タッチ位置により自動的に算定するだけでなく、ユーザが予め既定値として設定しておいても構わない。
【００４４】
＜実施形態２＞
上述の実施形態１やその変形例では、小画面領域はユーザが指定した後に、常に表示するものとして説明した。
しかし、大画面に表示されているものを直接ユーザが操作できる場合には、小画面の表示は必要ではなく、また、大画面の一部が小画面によって隠されて見えなくなるという不都合が出てくる。
そこで、実施形態２では、ユーザによって任意に小画面領域を表示あるいは非表示としたり、表示位置を移動したり、リサイズ（拡大・縮小）することができるようにしたものである。
【００４５】
図９は、本実施形態２に係る情報表示装置の機能構成を示すブロック図である。同図において、情報表示装置の機能は、制御部３１、小画面設定部３２、位置情報変換部３３、画像出力部３４、表示可否設定部３６、表示位置移動部３７、画面サイズ変更部３８を含んで構成されている。また、これらを動作させるために、画面管理テーブル３５を必要とする。
ここで、表示可否設定部３６、表示位置移動部３７、画面サイズ変更部３８は、必須の構成要素ではなく、必要に応じて適宜選択されるものである。
また、実施形態１やその変形例と同じ機能構成要素については、同じ符号を付して、その説明は変更や追加についてのみ説明する。
【００４６】
まず、図１０を参照して、画面管理テーブル３５に追加された部分について説明する。
【００４７】
画面区分：大画面または小画面のいずれかを示す区分データを記憶する。
表示位置：画面区分で表される画面の左下方隅の位置を表す座標を記憶する。大画面は、表示画面の原点に固定されるが、小画面は既定値またはユーザによる設定により、可変である。
表示の大きさ：画面区分で表される画面の大きさを幅と高さで記憶する。ここでは、大画面は幅Ｌｘ、高さＬｙとし、小画面は、幅ｌｘ、高さｌｙとする。
表示可否：画面区分で表される画面が表示可であるときにはＯＮ、あるいは、非表示であるときにはＯＦＦのフラグを記憶する。大画面の場合には、常に表示するためＯＮに固定である。この項目は、小画面を常に表示させる場合には不要であるが、本実施形態２では、小画面を表示させたり、非表示とするため必要なデータ項目である。
【００４８】
表示可否設定部３６は、画面管理テーブル３５の小画面領域の表示可否のフラグを次のようにして設定する。
ユーザは、システム領域のうちの表示モード選択の「小画面の表示」の項目のうち「する」または「しない」のいずれかのボタンをクリックする。
制御部３１は、タッチセンサ１２から受け取った位置情報（接触状況、接触位置）から、ユーザがシステム領域のうちの表示モード選択の「小画面の表示」の項目のいずれかのボタンをクリックしたと判断すると、表示可否設定部３６を起動する。
表示可否設定部３６は、起動されると、ユーザが「する」のボタンをクリックしたと判断すると、画面管理テーブル３５の小画面の「表示可否」にＯＮを設定し、「しない」のボタンをクリックしたと判断するとＯＦＦを設定して実行を終了する。
【００４９】
これにより、画像出力部３４では、画面管理テーブル３５の小画面の表示可否のフラグがＯＮの場合、メインバッファメモリに記憶されている画像データを、小画面の大きさ（幅と高さ）に一致するように縮小して、小画面用の画像データとして、記憶部１４に確保されているサブバッファメモリへ生成する。
そして、サブバッファメモリに生成された小画面の画像データが大画面上の小画面の表示位置に表示されるように、メインバッファメモリに記憶されている大画面の画像データに上書き合成して、記憶部１４に確保されている画像メモリへ書き出す。
【００５０】
また、画面管理テーブル３５の小画面の表示可否のフラグがＯＦＦの場合、メインバッファメモリに記憶されている画像データを画像メモリへ書き込む。
このようにして、画像出力部３４は、画像メモリが書き換わると、書き換わった画像メモリの内容を画像表示部１１へ送って、大型表示画面に大画面および小画面、あるいは、大画面だけを表示させる。
【００５１】
表示位置移動部３７は、画面管理テーブル３５の小画面の表示位置の変更を次のようにして設定する。
ユーザは、入力部２０により、小画面のいずれかの辺を掴んで所望の位置までドラッグして、掴んだ辺を開放する。
制御部３１は、ドラッグを開始した時の位置情報（接触状況、接触位置）から、小画面領域の４辺のうちのいずれかが掴まれたと判断すると、表示位置移動部３７を起動する。
表示位置移動部３７は、起動されると、小画面領域の掴んだ辺が放されたことを検出するまで、タッチセンサ１２から送信される位置情報を得る。この間、表示位置移動部３７は、ドラッグされる小画面の輪郭を移動表示する。
そして、表示位置移動部３７は、小画面領域の掴んだ辺が放されたことを検出すると、現在表示されている小画面の左下隅の座標を画面管理テーブル３５の小画面の「表示位置」に設定し、小画面の中に大画面の縮小した画像を表示して実行を終了する。
【００５２】
画面サイズ変更部３８は、画面管理テーブル３５の小画面領域の大きさの変更を次のようにして設定する。
ユーザは、入力部２０によって、小画面領域のいずれかの隅を掴んで所望の大きさになるまでドラッグして、掴んだ隅を開放する。
制御部３１は、タッチセンサ１２から受け取った位置情報（接触状況、接触位置）から、小画面の４隅のうちのいずれかが掴まれたと判断すると、画面サイズ変更部３８を起動する。
画面サイズ変更部３８は、起動されると、小画面領域の掴んだ隅が放されたことを検出するまで、タッチセンサ１２から送信される位置情報を得る。この間、画面サイズ変更部３８は、ラバーバンドで伸縮する小画面の輪郭を表示する。
そして、画面サイズ変更部３８は、小画面領域の掴んだ隅が放されたことを検出すると、現在表示されている小画面の高さと幅を画面管理テーブル３５の小画面の「表示の大きさ」に設定し、小画面の中に大画面の縮小した画像を表示して実行を終了する。
【００５３】
また、位置情報変換部３３は、画面管理テーブル３５の小画面の「表示可否」のフラグがＯＦＦであれば、接触位置をそのまま大画面上の座標として出力する。また、画面管理テーブル３５の小画面の「表示可否」のフラグがＯＮであれば、実施形態１と同様に、接触位置が小画面内か大画面内かによって、接触位置の座標を大画面の座標へ変換する。
【００５４】
また、上述のように小画面領域の表示位置が可変になった場合には、位置情報変換部３３における座標変換は、小画面領域の原点を（ｘ０，ｙ０）とした場合、実施形態１で説明した変換式のｘ、ｙの代わりにそれぞれ（ｘ−ｘ０）、（ｙ−ｙ０）とすることによって利用可能である。
【００５５】
また、上記の実施形態では、小画面の表示はユーザの指示によって表示の可否を指示するようにしたが、小画面を操作して、大画面に表示された対象をユーザが直接操作できるようになったときには、画面管理テーブル３５の小画面の「表示可否」のフラグをＯＦＦに設定し、自動的に小画面を表示させないようにしても良い。
例えば、図２のようにウィンドウ２を画面の下方に移動させた結果、ウィンドウ１が大画面の下方に移動し、ユーザが直接大画面のウィンドウ１を操作できるようになったときに、小画面の表示を自動的にＯＦＦにするようにする。
【００５６】
尚、本発明は上述した実施形態に限定されず、本発明の要旨を逸脱しない範囲内で各種の変形、修正が可能であるのは勿論である。
【図面の簡単な説明】
【００５７】
【図１】表示画面における各画面領域および座標軸を説明する図である。
【図２】大型表示画面の操作概要を説明する図である。
【図３】情報表示装置のハードウェア構成を表すブロック図である。
【図４】実施形態１に係る情報表示装置の機能構成を表すブロック図である。
【図５】実施形態１における画面管理テーブルのデータ構造例である。
【図６】小画面領域の設定操作を説明する図である。
【図７】接触位置を大画面の座標系に変換する処理を説明するフローチャートである。
【図８】小画面領域の設定位置を説明する図である。
【図９】実施形態２に係る情報表示装置の機能構成を表すブロック図である。
【図１０】実施形態２における画面管理テーブルのデータ構造例である。
【符号の説明】
【００５８】
１０…情報表示装置、１１…画像表示部、１２…タッチセンサ、１３…主制御部、１４…記憶部、２０…入力部、３１…制御部、３２…小画面設定部、３３…位置情報変換部、３４…画像出力部、３５…画面管理テーブル、３６…表示可否設定部、３７…表示位置移動部、３８…画面サイズ変更部。
【図１】
0004412737.tif 000002
【図２】
0004412737.tif 000003
【図３】
0004412737.tif 000004
【図４】
0004412737.tif 000005
【図５】
0004412737.tif 000006
【図６】
0004412737.tif 000007
【図７】
0004412737.tif 000008
【図８】
0004412737.tif 000009
【図９】
0004412737.tif 000010
【図１０】
0004412737.tif 000011